(57)【特許請求の範囲】
【請求項１】
複数の手摺り用の支柱が間隔を開けて立設され、隣接している２本の支柱の間に、複数の小パネルの並設からなる大パネルが配置され、この大パネルは、前記複数の小パネル同士を枠部材で連結することにより形成されており、前記隣接している２本の支柱の互いに対向する側面にはこれらの支柱の長さ方向に延びる溝が形成され、前記大パネルの互いに対向する左右の２辺がこれらの溝に挿入されることにより、この大パネルが前記隣接している２本の支柱の間に配置され、
前記大パネルが、前記複数の小パネル同士を前記枠部材で連結することにより形成されていることは、前記複数の小パネルの左右の端部を、前記枠部材に形成されている溝に挿入することにより行われ、前記大パネルの互いに対向する前記左右の２辺に配置された前記枠部材が、前記隣接している２本の支柱の前記溝に挿入されることにより、前記大パネルがこれらの支柱の間に配置され、
前記枠部材に形成されている前記溝は第１溝であり、前記枠部材には、この第１溝と平行に第２溝が形成され、この第２溝に、前記支柱に形成されている屈曲部が嵌合されていることを特徴とする手摺り構造。
【請求項２】
請求項１に記載の手摺り構造において、前記大パネルには、この大パネルを前記隣接している２本の支柱に架設される笠木構成部材に結合するための結合部が設けられていることを特徴とする手摺り構造。
【請求項３】
請求項２に記載の手摺り構造において、前記結合部は、前記大パネルとは別部材となっている結合部材であり、この結合部材は、前記小パネルを前記枠部材に止着するための止着具で前記枠部材に前記小パネルと共に止着されていることを特徴とする手摺り構造。
【請求項４】
複数の小パネル同士を枠部材で並設連結することにより大パネルを形成し、この後、この大パネルの互いに対向する左右の２辺を、隣接している２本の支柱の互いに対向する側面にこれらの支柱の長さ方向に延びて形成されている溝に挿入することにより、前記大パネルを前記隣接している２本の支柱の間に配置することを特徴とする手摺りの組み立て方法。
【請求項５】
請求項４に記載の手摺りの組み立て方法において、前記複数の小パネル同士を枠部材で並設連結することにより前記大パネルを形成することは、前記複数の小パネルの左右の端部を、前記枠部材に形成されている溝に挿入することにより行い、前記大パネルの互いに対向する左右の前記２辺を、前記隣接している２本の支柱の前記溝に挿入することは、前記大パネルの互いに対向する前記左右の２辺に配置された前記枠部材を、これらの支柱の前記溝に挿入することにより行うことを特徴とする手摺りの組み立て方法。
【請求項６】
請求項５に記載の手摺りの組み立て方法において、前記枠部材に形成されている前記溝は第１溝であり、前記枠部材には、この第１溝と平行に第２溝が形成されており、前記枠部材を、前記隣接している２本の支柱の前記溝に挿入するときに、前記第２溝に、前記支柱に形成されている屈曲部を嵌合させることを特徴とする手摺りの組み立て方法。
【発明の詳細な説明】
【０００１】
【発明の属する技術分野】
本発明は、手摺り構造及び手摺りの組み立て方法に係り、例えば、建物のバルコニ用手摺りや、外階段用手摺り、外廊下用手摺り等に利用できるものである。
【０００２】
【背景技術】
建物の外壁部には掃き出し窓の位置と一致又は略一致してバルコニが設置され、このバルコニの外周端部に手摺りが設けられる。手摺りは、複数の手摺り用の支柱を間隔を開けて立設し、隣接する２本の支柱の間にパネルを固定状態で配置することにより形成される。また、隣接する２本の支柱の間において通気性等を確保する場合には、パネルを大面積の１枚からなるものとせず、このパネルを隙間を開けて並設した複数の小パネルからなるものとする場合がある。
【０００３】
このような場合には、従来、これらの小パネルを隣接している２本の支柱の間に固定状態で配置するために、それぞれの小パネルをビス等の止着具で支柱に止着することが行われていた。
【０００４】
【発明が解決しようとする課題】
この従来技術によると、それぞれの小パネルを２本の支柱に止着具で止着する作業を行わなければならず、この作業に多くの手間がかかり、作業性を向上させることは難しかった。
【０００５】
本発明の目的は、隣接している２本の支柱の間に複数の小パネルを並設して配置する作業を容易に行え、作業性を向上させることができる手摺り構造及び手摺りの組み立て方法を提供するところにある。
【０００６】
【課題を解決するための手段】
本発明に係る手摺り構造は、複数の手摺り用の支柱が間隔を開けて立設され、隣接している２本の支柱の間に、複数の小パネルの並設からなる大パネルが配置され、この大パネルは、前記複数の小パネル同士を枠部材で連結することにより形成されていることを特徴とするものである。
【０００７】
この手摺り構造では、隣接している２本の支柱の間に配置されるパネルが複数の小パネルの並設からなる大パネルとされ、この大パネルは複数の小パネル同士を枠部材で連結することにより形成されるため、枠部材で複数の小パネルを連結して大パネルを形成した後、この大パネルを２本の支柱の間に配置する作業を行えばよい。このため、それぞれの小パネルを２本の支柱に止着具で止着するという手間のかかる面倒な作業を行う必要がないとともに、枠部材で複数の小パネル同士を連結する作業は、２本の支柱の間の狭い空間ではなく、工場又は手摺り設置現場等における周囲が開放された広い空間で行えるため、作業の容易化、作業性の向上を達成できる。
【０００８】
そして、この手摺り構造を実現するための本発明に係る手摺りの組み立て方法は、複数の小パネル同士を枠部材で並設連結することにより大パネルを形成し、この後、この大パネルを隣接している２本の手摺り用の支柱の間に配置してこれらの支柱に取り付けることを特徴とするものである。
【０００９】
以上の本発明において、並設される複数の小パネル同士を連結するための前記枠部材は、大パネルの互いに対向する２辺だけに配置してもよく、この２辺と、大パネルの残りの２辺のうちの１辺又は２辺とに配置してもよく、あるいは、大パネルの辺である大パネルの端部ではなく、大パネルの幅方向等における途中に配置してもよく、端部と幅方向等における途中とに配置してもよく、さらには、大パネルの対角線上に配置してもよく、端部と対角線上とに配置してもよく、枠部材の配置位置及びその個数は任意である。
【００１０】
また、複数の小パネル同士を枠部材で並設連結するために枠部材と小パネルとを結合する手段は、ビスやリベット、ピン等の止着具でもよく、接着でもよく、溶接でもよく、係止又は係合でもよく、引っ掛けでもよく、さらには、ビード部材等の第３の部材を用いた圧着、押え込み等でもよく、任意である。
【００１１】
また、大パネルにおける小パネルの並設方向は、上下方向でもよく、左右方向でもよく、上下方向と左右方向に対して斜めとなった方向でもよく、これらのうちの少なくとも２つの方向が複合されたものでもよい。隣接している２本の手摺り用支柱の間に大パネルを配置したときにおける小パネルの並設方向も、上下方向でもよく、左右方向でもよく、上下方向と左右方向に対して斜めとなった方向でもよく、これらのうちの少なくとも２つの方向が複合されたものでもよい。
【００１２】
さらに、枠部材で連結された小パネル同士の間には、通気性等を確保するための隙間を設けてもよく、このような隙間を設けず、小パネル同士を密接させてもよく、あるいは、隣接する小パネルの端部同士を重ねてもよい。
【００１３】
また、小パネル同士を枠部材で並設連結することは、小パネルを枠部材に固定的に取り付けることにより行ってもよく、また、小パネルを枠部材に回動自在に取り付けることにより、枠部材に対する小パネルの角度を変更自在としてもよい。
【００１４】
また、小パネルを枠部材に固定的に取り付ける場合には、枠部材を大パネルの互いに対向する２辺に配置し、これらの枠部材に溝を形成するとともに、複数の小パネルの両方の端部をこれらの溝に挿入してもよい。
【００１５】
これによると、それぞれの小パネルにおける両方の端部が枠部材の溝に挿入されることにより、その溝の深さに応じた強度で小パネルを枠部材に取り付けたのと同じ状態になるため、その取付強度を大きくできる。
【００１６】
このようにした場合における小パネルと枠部材とを結合するための手段は、前述と同じく、ビスやリベット、ピン等の止着具でもよく、接着でもよく、溶接でもよく、係止又は係合でもよく、引っ掛けでもよく、任意である。
【００１７】
しかし、この結合手段を止着具とした場合には、止着具の個数をそれぞれの小パネルの端部ごとに１個とすることができ、止着具の個数の削減と、止着具による小パネルと枠部材の結合作業の簡単化を図ることができる。
【００１８】
また、本発明において、隣接している２本の支柱の間に大パネルを配置するためには、大パネルを支柱に対して固定状態の取り付けで行ってもよく、また、隙間等の存在によって多少のがたつきがある状態の取り付けで行ってもよく、さらには、回動等が可能となった取り付けで行ってもよい。このような取り付けのための手段は、任意であり、例えば、ビスやリベット、ピン等の止着具でもよく、接着でもよく、溶接でもよく、係止又は係合でもよく、引っ掛け等でもよく、さらには、支柱に形成された溝への大パネルの嵌合（けんどん方式による嵌合を含む）でもよい。
【００１９】
そして、隣接している２本の支柱の間に大パネルを配置するために、これらの支柱の互いに対向する側面に支柱の長さ方向に延びる溝を形成し、大パネルの互いに対向する端部をこれらの溝に挿入するようにすると、大パネルの配置作業を、溝に沿って大パネルを落とし込むだけの簡単な作業として行えるとともに、２本の支柱の間への大パネルの配置を支柱の溝の深さに応じた強度をもって行えることになり、この配置強度を大きくできる。
【００２０】
このように２本の支柱の互いに対向する側面に溝を形成し、これらの溝に大パネルの互いに対向する端部を挿入するようにする場合であって、複数の小パネル同士を並設連結した前記枠部材が大パネルの互いに対向する２辺だけに設けられている場合には、溝に挿入する大パネルの端部は、これらの枠部材が設けられた端部でもよく、これらの枠部材が設けられていない端部でもよい。
【００２１】
また、大パネルを２本の支柱の間に配置するに際して、この大パネルを、隣接している２本の支柱に架設される笠木構成部材に大パネルに設けた結合部を介して結合してもよく、結合しなくてもよい。結合すると、笠木構成部材に対する大パネルの配置位置を所定位置とすることができるとともに、大パネルのその配置位置での配置強度を大きくできる。
【００２２】
このように大パネルを結合部を介して笠木構成部材に結合する場合において、大パネルに設ける結合部は、大パネルの一部として設けてもよく、大パネルとは別部材として設けてもよい。また、大パネルの一部として設ける場合における結合部は、大パネルを形成する小パネルに設けてもよく、同じく大パネルを形成する枠部材に設けてもよい。
【００２３】
大パネルに設ける結合部を大パネルとは別部材となった結合部材とし、この結合部材を介して大パネルを笠木構成部材に結合する場合であって、小パネルを前記枠部材にビスやリベット、ピン等の止着具で止着する場合には、この止着具で結合部材と小パネルとを共に枠部材に止着することが好ましい。
【００２４】
これによると、止着具で結合部材と小パネルの両方を枠部材に止着することができ、この作業を簡単に行え、用いる止着具の個数も少なくできる。
【００２５】
以上説明した本発明は各種の手摺りに適用できる。その一例はバルコニの手摺りであり、他の例は集合住宅に設置される外階段の手摺りや外廊下の手摺りである。さらに、本発明は建物以外の構築物の手摺り、例えば、横断歩道橋の手摺り等にも適用できる。
【００２６】
【発明の実施の形態】
以下に本発明の一実施形態を図面に基づいて説明する。本実施形態に係る手摺りは、図１に示されているように、建物のバルコニ１の手摺り２である。バルコニ１は、建物の掃き出し窓３の位置と一致又は略一致して外壁部に設置され、手摺り２は、このバルコニ１の正面箇所と左右箇所とからなるバルコニ１の外周端部に設けられている。
【００２７】
図２は、図１のＳ２−Ｓ２線断面図である。バルコニ１の正面側の構造材となっている桁部材１０の両端部は、バルコニ１の左右側の構造材となって建物の外壁部から延びている図示外の２本の妻部材の先端に結合されて支持され、この桁部材１０の前面には、第１ブラケット１１と上下の第２ブラケット１２，１３を介してカバー１４が取り付けられている。桁部材１０と第１ブラケット１１の上部には、これらの桁部材１０と第１ブラケット１１に結合された防水パンカバー１５が配置され、この防水パンカバー１５におけるバルコニ１の内側の垂下端部１５Ａの裏側に、バルコニ１の床部を形成している防水パン１６の外側立上り部１６Ａが配置されている。
【００２８】
防水パン１６の下側には図示されていない複数の根太が配置されており、これらの根太によって防水パン１６が支持されている。また、防水パン１６の前記掃き出し窓３側の端部には排水口が形成され、この排水口にバルコニ１の床部を貫通して下向きに延びる縦樋が接続されている。
【００２９】
図１に示されているように、手摺り２は、間隔を開けて立設された複数の手摺り用の支柱２０と、これらの支柱２０の間に配置された大パネル２１と、支柱２０の上端間に架設された笠木２２とを含んで形成され、それぞれの大パネル２１は、上下に並設された複数の小パネル２３を主要部材として形成されている。また、それぞれの支柱２０は、図２で示すとおり、防水パンカバー１５に止着具２４で固定されている。
【００３０】
図３は、図２のＳ３−Ｓ３線断面図であり、図４は、図３の一部拡大図である。それぞれの支柱２０は、支柱本体２５と、支柱本体２５の前面に被せられたカバー２６とからなる。図１で示されている支柱２０のうち、バルコニ１のコーナー部に配置された支柱２０Ａ，２０Ｂを除く支柱２０、すなわち、バルコニ１の正面箇所に配置された支柱２０の支柱本体２５は、図４に示されているとおり、中空のボックス部２７と、このボックス部２７から左右に延びる一対の第１延出部２８と、第１延出部２８からバルコニ１の内側に離れて形成され、ボックス部２７から左右に延びる一対の第２延出部２９とを有する。第２延出部２９は、バルコニ１の外側へ屈曲した第１屈曲部２９Ａと、第１屈曲部２９Ａの先端からボックス部２７側へ屈曲した第２屈曲部２９Ｂとを備えている。
【００３１】
第１延出部２８と第２延出部２９の第２屈曲部２９Ｂとの間は、支柱２０の長さ方向、言い換えると、上下方向に延びる溝３０になっている。支柱２０の全高に亘るこのような溝３０は、支柱２０Ａ，２０Ｂを除く支柱２０では、支柱本体２５の左右両方の側面に形成され、支柱２０Ａでは、支柱本体の片側の側面、すなわち支柱２０Ａと２０Ｂを除く支柱２０の側面と対向する側の側面だけに形成され、支柱２０Ｂでは、建物の外壁部と対向する側の側面だけに形成されている。
【００３２】
このため、溝３０は、支柱２０Ｂを除く支柱２０であって隣接している２本の支柱２０では、支柱本体の互いに対向する側面に形成されている。
【００３３】
図５は、大パネル２１をバルコニ１の内側から見た正面図であり、図６は、図５のＳ５−Ｓ５線断面図、図７は、図５のＳ７−Ｓ７線矢示図である。図５に示すように、正面四角形となっている大パネル２１の４辺のうち、互いに対向する２辺、具体的には、鉛直方向に延びる左右の２辺には枠部材３１が配置され、これらの枠部材３１は、大パネル２１を形成するために上下に複数並設されている小パネル２３同士を通気用隙間Ｓを開けて連結するものとなっている。図６に示すように、それぞれの小パネル２３は、パネル本体３２と、このパネル本体３２の前面に被せられたカバー３３とからなる。
【００３４】
また、それぞれの枠部材３１は、図４で示されているとおり、バルコニ１の内外方向に直線的に延びる主部３１Ａと、主部３１Ａにおけるバルコニ１の外側先端において大パネル２１の内方と外方の両方向に延び、主部３１Ａと共にＴ字形をなす第１突起部３１Ｂと、第１突起部３１Ｂからバルコニ１の内側へ離れた主部３１Ａの位置に形成され、大パネル２１の内方へ延びる第２突起部３１Ｃと、第２突起部３１Ｃからさらにバルコニ１の内側へ離れた主部３１Ａの位置に形成され、大パネル２１の内方へ延びる第３突起部３１Ｄとからなる。したがって、枠部材３１には、第１突起部３１Ｂと第２突起部３１Ｃとの間に第１溝３４が、第２突起部３１Ｃと第３突起部３１Ｄとの間に第２溝３５がそれぞれ形成されており、これらの溝３４，３５は枠部材３１の全長に亘って形成されている。
【００３５】
それぞれの小パネル２３は、図８でも示されているように、左右の端部が第１溝３４に挿入されることにより、左右２本の枠部材３１の間に挟まれるように配置され、これらの小パネル２３は上下の所定位置に配置される。図６で示した小パネル２３のパネル本体３２はアルミ合金の押し出し成形品又は引き抜き成形品であり、このパネル本体３２における小パネル２３の高さ寸法中央部にはビスポケット３２Ａが形成されている。このビスポケット３２Ａに、それぞれの枠部材３１の主部３１Ａに設けた孔から挿通した止着具であるビス３６（図４及び図５参照）を螺入することにより、それぞれの小パネル２３は、左右の端部ごとに１個のビス３６で枠部材３１に止着され、これにより、これらの小パネル２３は隙間Ｓを開けて上下に並設される。
【００３６】
また、図５及び図８に示されているように、大パネル２１には左右の枠部材３１の上部において結合部材３７が設けられ、これらの結合部材３７は、大パネル２１を、図２で示した笠木２２を構成する部材、具体的には笠木底部材２２Ａに結合するために、大パネル２１に設けられた結合部となっているものである。図５及び図８で示すように、結合部材３７は、枠部材３１の外面に沿って上方へ延びる主部３７Ａと、主部３７Ａの上端から大パネル２１の内方へ折れ曲がった折曲部３７Ｂとからなる逆Ｌ字形状になっている。主部３７Ａには、枠部材３１に小パネル２３を止着するためのビス３６のうち、最高位置に配置される小パネル２３を止着するためのビス３６を挿通するための孔が形成されており、このビス３６によって結合部材３７と最高位置の小パネル２３とが枠部材３１に共締め状態で止着されている。
【００３７】
以上ように小パネル２３と枠部材３１と結合部材３７を構成部材とする大パネル２１は、予め工場において又はバルコニ１の施工現場において組み立てられる。
【００３８】
バルコニ１の施工現場において、バルコニ１の手摺り２を設置するときには、図２で示した支柱２０を防水パンカバー１５に止着具２４で立設固定した後であって、それぞれの支柱２０の上端間に笠木２２を架設する前に、図９で示すように、枠部材３１が配置された大パネル２１の互いに対向する左右の２辺を隣接している２本の支柱２０の前述した溝３０に挿入し、そのまま大パネル２１を溝３０に沿って落とし込むことにより２本の支柱２０の間にこの大パネル２１を配置する作業を行う。この落とし込み作業時には、大パネル２１の枠部材３１を支柱２０の溝３０に嵌合するとともに、図４で示されているとおり、支柱２０の第２屈曲部２９Ｂを枠部材３１の第２溝３５に嵌合し、支柱２０に対する大パネル２１の位置決めを行う。
【００３９】
このような２本の支柱２０の間への大パネル２１の配置作業は、図１で示した支柱２０Ｂを除く全部の支柱２０の間において行う。また、支柱２０Ｂと建物の外壁部との間については、溝３０と同様な溝を備えたブラケット３８を予め外壁部に取り付けておき、支柱２０Ｂと、外壁部に取り付けられた支柱に相当するこのブラケット３８の間にも、支柱２０Ｂの溝とブラケット３８の溝に大パネル２１の互いに対向する２辺を挿入することにより、大パネル２１を配置する。
【００４０】
次いで、図２に示すとおり、それぞれの支柱２０の上端に笠木２２の笠木底部材２２Ａを載せる。図４で示した支柱２０の支柱本体２５は、アルミ合金の押し出し成形品又は引き抜き成形品であり、ビスポケット２５Ａが形成されている。これらのビスポケット２５Ａに、図２で示すように、笠木底部材２２Ａの孔に上から挿通したビス３９を螺入することにより、この笠木底部材２２Ａをそれぞれの支柱２０の上端間に架設して固定する。また、図１で示した建物の外壁部のブラケット３８にもビスポケットと同様なポケットが形成されているため、支柱２０Ｂとブラケット３８の上端間にも笠木底部材２２Ａを架設してビスで固定する。
【００４１】
なお、図２で示した防水パンカバー１５に支柱２０を立設固定するための前記止着具２４も、支柱本体２５のビスポケット２５Ａに螺入されている。
【００４２】
この後、図２で示すように、笠木底部材２２Ａに形成されている孔に上から止着具４０を挿通し、この止着具４０を、大パネル２１の結合部材３７の折曲部３７Ｂの孔に螺入する。これにより、大パネル２１は結合部材３７を介して笠木底部材２２Ａに結合されることになり、笠木底部材２２Ａに対する大パネル２１の位置、すなわち、支柱２０の高さ方向における大パネル２１の位置が所定位置とされるとともに、支柱２０の溝３０内において大パネル２１が固定状態とされる。
【００４３】
次いで、笠木底部材２２Ａの上に笠木本体２２Ｂを被せ、この笠木本体２２Ｂを笠木底部材２２Ａに係合させて両者を一体化させる。
【００４４】
以上のようにして組み立てられたバルコニ１では、隣接している２本の支柱２０の間に配置されている大パネル２１は、複数の小パネル２３を隙間Ｓを開けて上下に並設したものとなっているため、隙間Ｓで通気性が確保され、バルコニ１のコーナー部に配置されている支柱２０Ａと２０Ｂの間にも隙間があるため、ここでも通気性が確保される。
【００４５】
また、雨天時においては、大パネル２１に沿って流下した雨水が図２で示す防水パンカバー１５の上面に落下した後、バルコニ１の内側へ下り傾斜しているこの防水パンカバー１５の上面に沿って防水パン１６へ流れ、そして、この防水パネル１６に設けられている前述の排水口から縦樋へ排出されることになり、バルコニ１の防水性が向上している。
【００４６】
以上説明した本実施形態によると、隣接している２本の支柱２０の間に配置されるパネルは、複数の小パネル２３を上下に並設し、これらの小パネル２３を左右の枠部材３１で連結して組み立てた大パネル２１となっているため、組み立てられたこの大パネル２１を２本の支柱２０の間に配置することにより、所定の構造となった手摺り２を製作できることになる。
【００４７】
そして、大パネル２１の組み立ては工場やバルコニ施工現場等の周囲が開放された場所で行え、狭い空間となっている２本の支柱２０の間にそれぞれの小パネル２３を配置してこれらの小パネル２３を支柱２０に止着具で個別に取り付ける作業を行う必要がないため、作業を容易なものにでき、作業性を向上させることができる。
【００４８】
また、大パネル２１を組み立てるために複数の小パネル２３同士を枠部材３１で連結することは、枠部材３１の溝３５に小パネル２３の端部を挿入することにより行うため、溝３５の深さに応じた強度で小パネル２３を枠部材３１に連結することができる。また、溝３５によって小パネル２３は枠部材３１に回動不能に取り付けられることになるため、小パネル２３と枠部材３１とを結合する止着具３６は、それぞれの小パネル２３の左右の端部ごとに１個でよく、止着具３６の止着作業回数と止着具３６の個数を削減できる。
【００４９】
また、隣接している２本の支柱２０の間に大パネル２１を配置して支柱２０にこの大パネル２１を取り付けることは、これらの支柱２０の側面に形成した溝に大パネル２１の互いに対向する２辺を挿入することにより行うため、大パネル２１の配置作業を溝３０に沿った大パネル２１の落とし込み作業で容易に行え、また、溝３０の深さに応じた強度で支柱２０に大パネル２１を取り付けることができる。
【００５０】
さらに、大パネル２１には笠木底部材２２Ａと結合される結合部材３７が設けられているため、笠木底部材２２Ａに対する大パネル２１の位置を所定位置に正しく設定でき、また、この配置位置において、大パネル２１を笠木底部材２２Ａに結合できるため、大パネル２１の配置強度を大きくできる。
【００５１】
また、この結合部材３７は、複数の小パネル２３のうち、最高位置の小パネル２３を枠部材３１に止着するための止着具３６で枠部材３１に止着されているため、この止着具３６によって枠部材３１に小パネル２３と結合部材３７とが共締め状態で止着され、止着具の兼用化により、用いる止着具の個数の削減と、止着作業の共通化とを達成できる。
【００５２】
なお、隣接している２本の支柱２０の間に配置するものは、小パネル２３と枠部材３１からなる大パネル２１だけではなく、これらの支柱２０の互いに対向する側面に形成されている溝３０に挿入される部分を有するものであれば任意な手摺り用部材を配置してもよく、例えば、植木鉢等の小物類を置く箇所を備えているバルコニ付設物や、バルコニの手摺りの一部を形成する格子パネル等を配置してもよく、大パネル２１は、これらの手摺り用付設物と左右方向に並べられた状態でバルコニの手摺りに配置してもよい。
【００５３】
【発明の効果】
本発明によると、隣接している２本の支柱の間に複数の小パネルを並設して配置する作業を容易に行え、作業性を向上させることができるという効果を得られる。
【図面の簡単な説明】
【図１】本発明の一実施形態に係る手摺りが採用されているバルコニを示す斜視図である。
【図２】図１のＳ２−Ｓ２線断面図である。
【図３】図２のＳ３−Ｓ３線断面図である。
【図４】図３の一部拡大図である。
【図５】大パネルをバルコニの内側から見た正面図である。
【図６】図５のＳ６−Ｓ６線断面図である。
【図７】図５のＳ７−Ｓ７線矢示図である。
【図８】大パネルの枠部材と結合部材とを実線で示した要部の斜視図である。
【図９】隣接している２本の支柱の間に大パネルを配置する作業を示す斜視図で、大パネルを二点鎖線で示した図である。
【符号の説明】
２  手摺り
１５  防水パンカバー
１６  防水カバー
２０  支柱
２１  大パネル
２２  笠木
２２Ａ  笠木構成部材である笠木底部材
２３  小パネル
３０  支柱の溝
３１  枠部材
３４，３５  枠部材の溝
３６  止着具
３７  結合部材
【図１】
0004694038.tif 000002
【図２】
0004694038.tif 000003
【図３】
0004694038.tif 000004
【図４】
0004694038.tif 000005
【図５】
0004694038.tif 000006
【図６】
0004694038.tif 000007
【図７】
0004694038.tif 000008
【図８】
0004694038.tif 000009
【図９】
0004694038.tif 000010